(57)【要約】【課題】従来の雨具入れは、ベルトに雨具収納容器を設けたベルトを首に留めるものであった。これは、肢体不自由者を対象としていたためである。【解決手段】雨具の背面及び雨具の前面にマジックテ−プを設けたマジックテ−プと、雨具収納携帯袋及び雨具収納袋に設けたマジックテ−プを結合することで脱着が可能になり、雨具収納携帯袋に折り目を設ける構成にした。これにより、使用者が雨具収納携帯袋を容易に折り畳むことができ、雨具収納携帯袋を折り畳み小さくすることで雨具収納携帯袋及び雨具収納袋を雨具の大小に関係なく雨具に配設することができ、雨具収納携帯袋及び雨具収納袋を忘れることを防止することができる。【選択図】図１
2013083029.tif 000002
【特許請求の範囲】
【請求項１】
雨具の背面及び雨具の前面に設けたマジックテ−プと、雨具収納携帯袋にマジックテ−プを設け脱着可能した前記雨具収納携帯袋に折り目を設け、吊り下げ紐と蓋を設けた雨具収納携帯袋。
【請求項２】
雨具の背面及び雨具の前面に設けたマジックテ−プと、雨具収納袋にマジックテ−プを設け脱着可能にした雨具収納袋。
【請求項３】
水に濡れている雨具収納携帯袋を裏返しの状態にして、水に濡れている前記雨具収納携帯袋の外面を前記雨具収納携帯袋の内面とするようにした雨具収納携帯袋。
【発明の詳細な説明】
【技術分野】
【０００１】  本発明は、雨具を収納する雨具収納携帯袋を雨具の背面及び雨具の前面に設けた雨具収納携帯袋に関する。
【背景技術】
【０００２】  従来の雨具入れには、ベルトに雨具収納容器を設けた雨具収納容器を雨具の首に留めるように施したものがある（例えば、特許文献１参照。）【０００３】  以下、図４、図５、により従来の雨具入れについて説明する。図において、６は収納容器本体で、丈夫な素材で出来た収納容器６（雨具入れ）に雨具が収納されている。
【先行技術文献】
【特許文献】
【０００４】
【特許文献１】  特開平２００６−２９９４９５
【発明の概要】
【発明が解決しようとする課題】
【０００５】  以上に述べた従来の雨具入れでは、ベルトにある程度丈夫な素材でできている雨具収納容器を、ベルトで雨具の首に留めるようになっている。使用者は主に肢体不自由者を対象にしたものであった。【０００６】  本発明は、このような従来の構成が有していた問題を解決しようとするものであり、雨具を着用して雨降りの中や水滴が降る中を移動するのに雨具を入れる収納袋を手に持つ必要が無く、雨具を入れる収納袋の紛失を防止し、屋内や公共交通機関などの乗り物の中に、水で濡れた雨具の水を撒き散らすことを防止するとともに、水で濡れた雨具を人で混雑しているなかも持ち運べることを実現することを目的とするものである。
【課題を解決するための手段】
【０００７】  そして、本発明は上記目的を達成するために雨具収納携帯袋を折り畳んだ状態にした雨具収納携帯袋を、雨具の背面及び雨具の前面に脱着可能に設けたものである。【０００８】  また、第２の課題解決手段は、雨具収納携帯袋の中に水分吸収素材を配置する構成としたものである。【０００９】  また、第３の解決手段は、雨具の背面及び雨具の前面に袋を設け、設けた袋を脱着可能にした袋に、折り畳んだ状態にした雨具収納携帯袋を収納するものである。【００１０】上記第１の課題解決手段による作用は次の通りである。すなわち、雨具収納携帯袋に折り目を設け、雨具収納携帯袋に複数個のマジックテ−プを設ける。雨具収納携帯袋に設けた折り目に沿って雨具収納携帯袋を折り畳み、雨具収納携帯袋に設けた複数個のマジックテ−プで、折り目に沿って折り畳んだ雨具収納携帯袋を留める。雨具収納携帯袋を折り畳み雨具収納携帯袋の面積を小さくすることで雨具の大小に関係なく雨具の背面及び雨具の前面に雨具収納携帯袋を設け携帯することが可能となる。雨具の背面及び雨具の前面に雨具収納携帯袋が設けられ雨具収納携帯袋が水に濡れているため、水に濡れた雨具収納携帯袋を裏返しの状態にして、雨具収納携帯袋の内面が外面となった雨具収納携帯袋に水に濡れた雨具を収納することで、水に濡れていない内面の乾いた状態の雨具収納携帯袋を衣服を濡らすことなく携帯することができる。【００１１】  また、第２の課題解決手段による作用は、水分吸収素材を雨具収納携帯袋の中に収納することで、水が雨具収納袋の中に拡散し溜まるのを防ぎ、水分が雨具に付着するのを軽減する効果を発揮する。【００１２】  また、第３の解決手段による作用は、雨具の背面及び雨具の前面にマジックテ−プを設けたマジックテ−プと、雨具収納袋にマジックテ−プを設けたマジックテ−プを結合することで雨具収納袋を脱着可能にした雨具収納袋に、折り畳み面積を小さくした雨具収納携帯袋を収納することで、雨具収納携帯袋全体を水に濡らすこがなく、乾いた状態の雨具収納携帯袋を携帯できるという効果を発揮する。
【発明の効果】
【００１３】  上述したように本発明の雨具収納携帯袋は、雨具を着用して行動するのに雨具収納携帯袋を手に持って行動する必要が無く、柔らかい素材でできているため、雨具の背面及び雨具の前面に設けた雨具収納携帯袋の上からリックサックやカバンなども背負え、雨具収納携帯袋を忘れたり無くすことをを防止するとともに、雨具収納携帯袋を折り畳み雨具収納携帯袋の面積を小さくすることで、雨具の大小に関係なく雨具の背面及び雨具の前面に雨具収納携帯袋を設けることで、屋内や乗り物に乗り降りする直前などに、雨具の取り出しや収納が容易にできるという効果を発揮でき使用者の行動を妨げることのない雨具収納携帯袋を提供できる。
【図面の簡単な説明】
【００１４】
【図１】雨具の背面及び雨具の前面に折り畳んだ状態にした雨具収納携帯袋及び雨具収納袋を配設した斜視図。
【図２】（ａ）は雨具収納携帯袋の背面図、（ｂ）はその正面図。
【図３】（ａ）は雨具収納携帯袋を折り畳んだ状態にした背面図、（ｂ）はその正面図。
【図４】（ａ）は雨具収納携帯袋を裏返しの状態にした雨具収納携帯袋に雨具を収納して蓋をした状態の使用状態を示す斜視図、（ｂ）はその雨具収納携帯袋を裏返しの状態にしていない状態を示す斜視図。
【図５】（ａ）は雨具収納袋にマジックテ−プを設けた背面図、（ｂ）はその正面図
【図６】雨具収納袋の斜視図。
【発明を実施するための最良の形態】
【００１５】以下、本発明の実施形態を図１〜図６に基づいて説明する。
全体の構成は、雨具１の背面及雨具１の前面にマジックテ−プ７を設けたマジックテ−プ７と、雨具収納携帯袋２にマジックテ−プ７を設けたマジックテ−プ７を結合して、脱着可能にした雨具１の背面及び雨具１の前面に折り畳み面積を小さくした状態の雨具収納携帯袋２を配設する。また、雨具収納袋５にマジックテ−プ７を設け、雨具収納袋５を脱着可能した雨具収納袋５を雨具１に配設する。【００１６】以下、上記構成の動作を説明する。
（イ）雨具１と雨具収納携帯袋２の外面に設けたマジックテ−プ７を結合することで、雨具１の背面及び雨具１の前面に折り畳み面積を小さくした状態の雨具収納携帯袋２を雨具１の背面及び雨具１の前面に設けることができる。
（ハ）水に濡れた雨具収納携帯袋２を裏返しの状態にすることで、水に濡れていない雨具収納携帯袋２の内側が外面となることで、水に濡れていない乾いた状態の雨具収納携帯袋２を携帯することができる。
（ニ）雨具収納携帯袋２に折り目３を設けることで雨具収納携帯袋２を容易に折り畳むことができる。折り畳んだ雨具収納携帯袋２を、雨具１の背面及び前面に脱着可能に設けられた雨具収納袋５に、折り畳んだ雨具収納携帯袋２を収納することで、雨具収納携帯袋２全体を水に濡らすことを防止することができる。また雨具収納携帯袋２を折り畳み面積を小さくすることで、雨具１の大小に関係なく、雨具１の背面及び雨具１の前面に配設した雨具収納袋２に雨具収納携帯袋２を収納することができる。【００１７】
【符号の説明】
【００１８】  １  雨具本体
２  雨具収納携帯袋
３  折り目
４  蓋
５  雨具収納袋
６  吊り下げ紐
７  マジックテ−プ
【図１】
2013083029.tif 000003
【図２】
2013083029.tif 000004
【図３】
2013083029.tif 000005
【図４】
2013083029.tif 000006
【図５】
2013083029.tif 000007
【図６】
2013083029.tif 000008